(57)【要約】【課題】  ドライブユニットの電源方式にかかわらず、汎用のカメラをワンケーブル方式のドライブユニットに接続することができるアダプタを提供する。【解決手段】  映像信号入力端子１１と、電圧供給端子１２と、一端からカメラへの電源供給が行われる同軸ケーブル２の他端に接続されるケーブル接続端子１３と、２つのインピーダンス変換回路１７，１８と、リレー制御回路１４が同軸ケーブル２の一端に一定電圧が供給されていると判断したときにケーブル接続端子１３とインピーダンス変換回路１７とを電気的に接続し、一定電流が供給されていると判断したときにケーブル接続端子１３とインピーダンス変換回路１８とを電気的に接続するための切替リレー１５，１６と、ケーブル接続端子１３と接続されたインピーダンス変換回路の出力電圧を入力し所定電圧に変換して電圧供給端子１２へ出力するＤＣ／ＤＣ変換回路１９とを備えている。【選択図】  図２
2008228171.tif 000002
【特許請求の範囲】
【請求項１】
カメラへ所定電圧を供給するための電圧供給端子と、
一端に前記カメラの電源用の一定電圧または一定電流が供給される同軸ケーブルの他端に接続されるケーブル接続端子と、
第１及び第２のインピーダンス変換回路と、
前記同軸ケーブルの前記一端に前記一定電圧と前記一定電流とのどちらが供給されているかを判断するとともに、前記一定電圧が供給されていると判断したときに前記ケーブル接続端子と前記第１のインピーダンス変換回路とを電気的に接続し、前記一定電流が供給されていると判断したときに前記ケーブル接続端子と前記第２のインピーダンス変換回路とを電気的に接続するための接続切替回路と、
前記接続切替回路により前記ケーブル接続端子と接続された前記インピーダンス変換回路の出力電圧を入力し前記所定電圧に変換して前記電圧供給端子へ出力する電圧変換回路とが備えられたアダプタ。
【請求項２】
前記カメラからの映像信号を入力するための映像信号入力端子と、
前記映像信号入力端子と前記ケーブル接続端子との間に接続され、前記映像信号入力端子から入力される前記映像信号を前記ケーブル接続端子へ導くための端子間接続回路とが設けられた請求項１に記載のアダプタ。
【請求項３】
前記接続切替回路は、
前記ケーブル接続端子の電圧が所定の値以上であるときには前記同軸ケーブルの前記一端に前記一定電圧が供給されていると判断し、前記ケーブル接続端子の電圧が前記所定の値未満であるときには前記同軸ケーブルの前記一端に前記一定電流が供給されていると判断するように構成された請求項１または２に記載のアダプタ。
【請求項４】
請求項１〜３のいずれかに記載のアダプタを内蔵したカメラ。
【発明の詳細な説明】
【技術分野】
【０００１】
本発明は、監視カメラシステムに用いられるアダプタ及びカメラに関する。
【背景技術】
【０００２】
従来、監視カメラシステムにおいて、監視カメラとそれのドライブユニットとを１本の同軸ケーブルでつなぐワンケーブル方式のシステムがある（例えば、特許文献１、２参照）。
【０００３】
このようなワンケーブル方式のシステムでは、カメラからの映像信号が同軸ケーブルを介してドライブユニットに送信されるとともに、ドライブユニットから同軸ケーブルを介してカメラへ電源供給が行われるように構成されている。このシステムでは、同軸ケーブル内をカメラから出力される映像信号とカメラへ供給される電源電圧とが重畳されて伝送される。
【０００４】
また、図３に示すようなシステム構成もある。この場合、ワンケーブル方式のシステムのドライブユニット９と、映像信号出力端子と電源端子とが別々に設けられているカメラ４とを用い、カメラ４に接続される映像信号線６と電源線７とが、アダプタ８を介して同軸ケーブル２の一端に接続され、同軸ケーブル２の他端がドライブユニット９に接続された構成であり、同軸ケーブル２内を映像信号とカメラ用の電源電圧とが重畳されて伝送される。
【特許文献１】特開２０００−２２９９６号公報
【特許文献２】特開２００２−３００４６２号公報
【発明の開示】
【発明が解決しようとする課題】
【０００５】
上記従来のワンケーブル方式のシステムでは、ドライブユニットに適したワンケーブル方式用のカメラを用いなければならず、例えば、映像信号出力端子と電源端子とを別々に備えた汎用のカメラを使用することができなかった。
【０００６】
また、図３に示すシステムでは、ドライブユニット９の電源方式に対応したアダプタ８を用いなければならない。電源方式には、定電圧出力の電源回路を用いてカメラ４の電源供給を行う定電圧電源方式と、定電流出力の電源回路を用いてカメラ４の電源供給を行う定電流電源方式とがあり、ドライブユニット９が定電圧電源方式の装置である場合には、定電圧電源方式用のインピーダンス変換回路が内蔵されているアダプタ８を用いなければならず、ドライブユニット９が定電流電源方式の装置である場合には、定電流電源方式用のインピーダンス変換回路が内蔵されているアダプタ８を用いなければならない。
【０００７】
また、先に述べたワンケーブル方式のシステムにおいても、ドライブユニットの電源方式に対応したインピーダンス変換回路が内蔵されているカメラを用いなければならない。
【０００８】
本発明は上記のような課題を解決するためになされたもので、ドライブユニットの電源方式にかかわらず、カメラをドライブユニットに接続してカメラへの電源供給を行うことができるアダプタ及びカメラを提供することを目的としている。また、ドライブユニットの電源方式にかかわらず、映像信号出力端子と電源端子とを別々に備えたカメラ（ワンケーブル方式に非対応のカメラ）をワンケーブル方式のドライブユニットに接続することができるアダプタを提供することを目的としている。また、ワンケーブル方式用のカメラを複数接続可能である既存のワンケーブル方式のドライブユニット（以下、「ワンケーブル方式用の複数局のドライブユニット」という）に、映像信号出力端子と電源端子とを別々に備えたワンケーブル方式に非対応のカメラを接続することができ、ワンケーブル方式用の複数局のドライブユニット１つで、既存のワンケーブル方式用のカメラとワンケーブル方式に非対応のカメラとをまかなうことを可能にするアダプタを提供することを目的としている。
【課題を解決するための手段】
【０００９】
上記目的を達成するために、本発明のアダプタは、カメラへ所定電圧を供給するための電圧供給端子と、一端に前記カメラの電源用の一定電圧または一定電流が供給される同軸ケーブルの他端に接続されるケーブル接続端子と、第１及び第２のインピーダンス変換回路と、前記同軸ケーブルの前記一端に前記一定電圧と前記一定電流とのどちらが供給されているかを判断するとともに、前記一定電圧が供給されていると判断したときに前記ケーブル接続端子と前記第１のインピーダンス変換回路とを電気的に接続し、前記一定電流が供給されていると判断したときに前記ケーブル接続端子と前記第２のインピーダンス変換回路とを電気的に接続するための接続切替回路と、前記接続切替回路により前記ケーブル接続端子と接続された前記インピーダンス変換回路の出力電圧を入力し前記所定電圧に変換して前記電圧供給端子へ出力する電圧変換回路とが備えられている。
【００１０】
この構成によれば、同軸ケーブルの一端に接続されるドライブユニットの電源方式が一定電圧を供給する電源方式であっても、一定電流を供給する電源方式であっても、これら２つの電源方式のそれぞれに対応する第１および第２の２つのインピーダンス変換回路が備えられ、接続切替回路によってドライブユニットの電源方式に対応したインピーダンス変換回路を機能させるように接続が切り換えられるため、ドライブユニットの電源方式にかかわらず、カメラをドライブユニットに接続してカメラへの電源供給を行うことができる。
【００１１】
また、前記カメラからの映像信号を入力するための映像信号入力端子と、前記映像信号入力端子と前記ケーブル接続端子との間に接続され、前記映像信号入力端子から入力される前記映像信号を前記ケーブル接続端子へ導くための端子間接続回路とが設けられた構成としてもよい。
【００１２】
この構成によれば、ドライブユニットの電源方式にかかわらず、映像信号入力端子に接続される映像信号出力端子と、電圧供給端子に接続される電源端子とを別々に備えたカメラ（ワンケーブル方式に非対応のカメラ）を、ワンケーブル方式のドライブユニットに接続することができる。また、ワンケーブル方式用の複数局のドライブユニットに、ワンケーブル方式に非対応のカメラを接続することができるため、既存のワンケーブル方式用の複数局のドライブユニット１つで、既存のワンケーブル方式用のカメラとワンケーブル方式に非対応のカメラとをまかなうことが可能になる。
【００１３】
また、前記接続切替回路は、前記ケーブル接続端子の電圧が所定の値以上であるときには前記同軸ケーブルの前記一端に前記一定電圧が供給されていると判断し、前記ケーブル接続端子の電圧が前記所定の値未満であるときには前記同軸ケーブルの前記一端に前記一定電流が供給されていると判断するように構成されていてもよい。
【００１４】
また、本発明のカメラは、上記のアダプタを内蔵している。
【００１５】
この構成によれば、ドライブユニットの電源方式にかかわらず、カメラをドライブユニットに接続してカメラへの電源供給を行うことができる。
【発明の効果】
【００１６】
本発明は、以上に説明した構成を有し、ドライブユニットの電源方式にかかわらず、カメラをドライブユニットに接続してカメラへの電源供給を行うことができるアダプタ及びカメラを提供することができるという効果を奏する。また、ドライブユニットの電源方式にかかわらず、映像信号出力端子と電源端子とを別々に備えたカメラをワンケーブル方式のドライブユニットに接続することができるアダプタを提供することができるという効果を奏する。また、ワンケーブル方式用の複数局のドライブユニットに、ワンケーブル方式に非対応のカメラを接続することができ、既存のワンケーブル方式用の複数局のドライブユニット１つで、既存のワンケーブル方式用のカメラとワンケーブル方式に非対応のカメラとをまかなうことを可能にするアダプタを提供することができるという効果を奏する。
【発明を実施するための最良の形態】
【００１７】
以下、本発明の好ましい実施の形態を、図面を参照しながら説明する。
【００１８】
図１は、本発明の実施の形態のアダプタを用いた監視カメラシステムの構成を示すブロック図である。図２は、本発明の実施の形態のアダプタの構成を示すブロック図である。
【００１９】
図１において、カメラ１はワンケーブル方式に対応した監視カメラであり、カメラ４はワンケーブル方式に対応していない汎用の監視カメラである。
【００２０】
カメラ１とドライブユニット３とは、互いが１本の同軸ケーブル２で接続されるワンケーブル方式に用いられる周知の装置である。このワンケーブル方式では、カメラ１からの映像信号が同軸ケーブル２を介してドライブユニット３に送信されるとともに、ドライブユニット３から同軸ケーブル２を介してカメラ１への電源供給が行われるように構成されている。
【００２１】
カメラ１では、同軸ケーブル２から電源電圧を取り出すとともに同軸ケーブル２へ映像信号を送出し、ドライブユニット３では、同軸ケーブル２を伝送されてきた映像信号を取り出し、取り出した映像信号をモニタディスプレイ（図示せず）等へ出力するとともに、同軸ケーブル２へカメラ電源用の一定電圧または一定電流を供給するように構成されている。したがって、同軸ケーブル２内をカメラから出力される映像信号とカメラへ供給される電源用の電圧とが重畳されて伝送される。
【００２２】
また、ドライブユニット３には、複数のカメラを接続するために同軸ケーブル２を接続するための端子が複数設けられ、複数のカメラから送信されてきた映像信号をそれぞれ別々のモニタディスプレイ（図示せず）等へ出力するための端子が設けられている。このドライブユニット３には、その駆動電源として例えば交流１００Ｖが供給されており、交流１００Ｖからカメラ１へ供給するための直流を生成し同軸ケーブル２へ出力する電源回路が内蔵されている。この電源回路が、定電圧電源方式の場合には一定の直流電圧を生成し出力する定電圧生成回路であり、定電流電源方式の場合には一定の直流電流を生成し出力する定電流生成回路である。カメラ１の内部には、ドライブユニット３の電源方式に応じたインピーダンス変換回路が内蔵されている。すなわち、ドライブユニット３内の上記電源回路が定電圧生成回路である場合（ドライブユニット３が定電圧電源方式の装置である場合）には、定電圧電源方式用インピーダンス変換回路がカメラ１に内蔵され、ドライブユニット３内の上記電源回路が定電流生成回路である場合（ドライブユニット３が定電流電源方式の装置である場合）には、定電流電源方式用インピーダンス変換回路がカメラ１に内蔵されている。このように、カメラ１はドライブユニット３に専用のものが用いられている。
【００２３】
一方、カメラ４は、ワンケーブル方式用のカメラではなく、映像信号線６が接続される映像信号出力端子４１と、電源線７が接続される電源端子４２とが個別に設けられた汎用のカメラである。そして、本実施の形態のアダプタ５を介して、映像信号線６と電源線７とを同軸ケーブル２に接続することが可能である。
【００２４】
図２に示すように、アダプタ５には、映像信号線６が接続される映像信号入力端子１１と、電源線７が接続される電圧供給端子１２と、同軸ケーブル２が接続されるケーブル接続端子１３とが備えられている。
【００２５】
映像信号入力端子１１は、例えば直流阻止用コンデンサ及び抵抗が直列接続された直流阻止用の端子間接続回路２０を介してケーブル接続端子１３に接続されている。
【００２６】
ケーブル接続端子１３には、切替リレー１６を介して定電圧電源方式用インピーダンス変換回路１７と定電流電源方式用インピーダンス変換回路１８とが接続されている。定電圧電源方式用インピーダンス変換回路１７は、例えばトランジスタを用いて構成され、ドライブユニット３が定電圧電源方式の装置である場合に、周知のカメラ１に内蔵されている定電圧電源方式用インピーダンス変換回路と同様のものである。また、定電流電源方式用インピーダンス変換回路１８は、例えばトランジスタ等を用いて構成され、ドライブユニット３が定電流電源方式の装置である場合に、周知のカメラ１に内蔵されている定電流電源方式用インピーダンス変換回路と同様のものである。
【００２７】
そして、２つのインピーダンス変換回路１７，１８の出力側には、切替リレー１５を介してＤＣ／ＤＣ変換回路１９が接続され、ＤＣ／ＤＣ変換回路１９の出力端に電圧供給端子１２が接続されている。また、例えばケーブル接続端子１３の電圧に基づいて、切替リレー１５，１６を制御するリレー制御回路１４が備えられている。
【００２８】
ドライブユニット３が定電圧電源方式の装置である場合と定電流電源方式の装置である場合とでは、ドライブユニット３から同軸ケーブル２へ送出するカメラ電源用の電圧が異なるため、同軸ケーブル２に接続されたケーブル接続端子１３の電圧も異なる。例えば、定電圧電源方式の場合、ドライブユニット３から例えばＤＣ２０Ｖの一定電圧が同軸ケーブル２へ供給され、例えば数百ｍの長さの同軸ケーブル２での伝送損失によりケーブル接続端子１３の電圧がＶ１（ＤＣ十数Ｖ）になる。また、定電流電源方式の場合、ドライブユニット３から例えば２００ｍＡ（電圧はＤＣ十数Ｖ）の一定電流が同軸ケーブル２へ供給され、同軸ケーブル２での伝送損失によりケーブル接続端子１３の電圧がＶ２（＜Ｖ１）になる。このように、定電圧電源方式の場合、ケーブル接続端子１３の電圧がＶ１になり、定電流電源方式の場合、ケーブル接続端子１３の電圧がＶ２（＜Ｖ１）になるとすれば、閾値Ｖｔの値をＶ２＜Ｖｔ＜Ｖ１になるように決め、リレー制御回路１４では、ケーブル接続端子１３の電圧が閾値Ｖｔ以上であれば、ケーブル接続端子１３とＤＣ／ＤＣ変換回路１９との間に、定電圧電源方式用インピーダンス変換回路１７が接続され、定電流電源方式用インピーダンス変換回路１８が非接続状態となるように切替リレー１５，１６を制御し、閾値Ｖｔ未満であれば定電流電源方式用インピーダンス変換回路１８が接続され、定電圧電源方式用インピーダンス変換回路１７が非接続状態となるように切替リレー１５，１６を制御するように構成されている。このリレー制御回路１４には、例えば、ケーブル接続端子１３の電圧と閾値Ｖｔとを比較するコンパレータを用いて構成し、このコンパレータの電源としては例えば電池を用いればよい。
【００２９】
以上のように構成された監視カメラシステムの動作を説明する。
【００３０】
カメラ４は、一定電圧（例えばＤＣ１２Ｖ）が電源線７から供給されて駆動する。カメラ４から出力される映像信号は高周波信号であり、映像信号線６を介して映像信号入力端子１１からアダプタ５へ入力される。この映像信号は、端子間接続回路２０を介してケーブル接続端子１３へ出力される。
【００３１】
一方、ドライブユニット３から同軸ケーブル２を介してケーブル接続端子１３にカメラ用の電源電圧が供給される。リレー制御回路１４では、前述のように例えばケーブル接続端子１３の電圧に基づいて切替リレー１５，１６を制御し、ドライブユニット３の電源方式に応じた１つのインピーダンス変換回路（１７または１８）が接続される。このインピーダンス変換回路（１７または１８）の出力電圧は、ＤＣ／ＤＣ変換回路１９に入力され、ＤＣ／ＤＣ変換回路１９により一定電圧（例えばＤＣ１２Ｖ）に変換されて出力され、電圧供給端子１２から電源線７を介してカメラ４へ供給される。
【００３２】
なお、カメラ１とドライブユニット３との間では、従来のワンケーブル方式のシステムにおける動作と同様であり、説明を省略する。
【００３３】
本実施の形態のアダプタ５には、２つの電源方式のそれぞれに対応する２つのインピーダンス変換回路１７，１８が備えられ、使用されるドライブユニット３の電源方式に応じたインピーダンス変換回路を機能させるようにしているため、ドライブユニット３の電源方式にかかわらず、映像信号出力端子４１と電源端子４２とを別々に備えた汎用のカメラ４をワンケーブル方式のドライブユニット３に接続することができる。
【００３４】
また、本実施の形態のドライブユニット３のようなワンケーブル方式用の複数局のドライブユニットに、ワンケーブル方式に非対応のカメラ４をアダプタ５を介して接続することができるため、既存のワンケーブル方式用の複数局のドライブユニット１つで、既存のワンケーブル方式用のカメラ１とワンケーブル方式に非対応のカメラ４とをまかなうことが可能になる。
【００３５】
また、カメラ４にアダプタ５（アダプタ５と同等の機能を有する回路）を内蔵した構成にすれば、そのカメラとドライブユニット３とを同軸ケーブル２のみで接続することができる。
【００３６】
また、ドライブユニット３をワンケーブル方式に対応していないドライブユニット、すなわち、映像信号用のケーブルとカメラ電源用のケーブルとが別々の端子に接続されるドライブユニット（以下、「ドライブユニットＡ」という）とした場合には、アダプタ５を、映像信号入力端子１１及び端子間接続回路２０を備えていない構成のアダプタ（以下、「アダプタＡ」という）とし、そのアダプタＡのケーブル接続端子１３を上記カメラ電源用のケーブルに接続し、電圧供給端子１２をカメラ４に接続された電源線７に接続することにより、ドライブユニットＡの電源方式にかかわらず、カメラ４をドライブユニットＡに接続することができる。この場合、一端がドライブユニットＡに接続された上記映像信号用のケーブルの他端が、カメラ４の映像信号出力端子４１に接続される。また、カメラ４にアダプタＡ（アダプタＡと同等の機能を有する回路）を内蔵した構成にすれば、そのカメラとドライブユニットＡとを同軸ケーブル２のみで接続することにより、そのカメラへの電源供給が行える。
【００３７】
また、ワンケーブル方式に対応するカメラ１に、それに内蔵されているインピーダンス変換回路に代えて、２つのインピーダンス変換回路１７，１８と切替リレー１５、１６とリレー制御回路１４とを内蔵することにより、ドライブユニット３が定電圧電源方式の装置であっても定電流電源方式の装置であっても使用することができる。
【産業上の利用可能性】
【００３８】
本発明は、監視カメラシステムにおいて、映像信号出力端子と電源端子とを別々に備えたカメラをワンケーブル方式のドライブユニットに接続するためのアダプタ等として有用である。
【図面の簡単な説明】
【００３９】
【図１】本発明の実施の形態のアダプタを用いた監視カメラシステムの構成を示すブロック図である。
【図２】本発明の実施の形態のアダプタの構成を示すブロック図である。
【図３】従来の監視カメラシステムの構成の一例を示すブロック図である。
【符号の説明】
【００４０】
１  カメラ
２  同軸ケーブル
３  ドライブユニット
４  カメラ
５  アダプタ
６  映像信号線
７  電源線
１１  映像信号入力端子
１２  電圧供給端子
１３  ケーブル接続端子
１４  リレー制御回路
１５，１６  切替リレー
１７  定電圧電源方式用インピーダンス変換回路
１８  定電流電源方式用インピーダンス変換回路
１９  ＤＣ／ＤＣ変換回路
２０  端子間接続回路
【図１】
2008228171.tif 000003
【図２】
2008228171.tif 000004
【図３】
2008228171.tif 000005